(57)【要約】  書き換え可能光記録媒体にデータを記録するための記録装置を提供する。記録装置は、データを受けるための入力手段（２７）と、データを記録するための記録手段（２１、２２、２５、２８、２９）と、記録されたデータを読み取るための読み取り手段（２１、２２、２５、３０）と、読み取られた記録データにおいてエラーを見つけ且つ補正するためのエラー補正手段（３０）と、データの前記記録および読み取りを制御するための制御手段（２０）とを有する。記録装置は、書き込み走査の効率を高めるように、データ記録ストラテジを適合させるために、フォーマットされた記録媒体の速く且つ効率的な検査を実行することができる。【特許請求の範囲】
【請求項１】
アドレス可能読み取りユニットを有する記録ユニットに配置された記録データを有する実質的に円形の記録トラックを備える書き換え可能光記録媒体にデータを記録するための記録装置であって：
前記データを受けるための入力手段；
前記データを記録するための記録手段；
前記記録データを読み取るための読み取り手段；
読み取られた前記記録データにおいてエラーを見つけ且つ補正するためのエラー補正手段；並びに
前記データの前記記録および読み取りを制御するための制御手段；
を有し、
前記制御手段は、欠陥の存在に対して前記媒体を検査し且つデータ記録ストラテジを適合させるためにデザインされ；
前記記録データの少なくとも一部を読み取ることにより前記媒体を走査し；
読み取られた前記記録データの特徴を確立し；
前記特徴に基づいて欠陥データとして読み取られた前記記録データを評価し；並びに
前記評価の結果に従って、前記データ記録ストラテジを適合させる；
ことを特徴とする記録装置。
【請求項２】
請求項１に記載の記録装置であって：
前記制御手段は、前記媒体の各々の記録ユニットにおける前記読み取りユニットの所定数の走査を実行するためにデザインされ；並びに
前記記録ユニットに含まれるいずれの前記読み取りユニットが欠陥であるとして評価される場合、欠陥記録ユニットテーブルに記録ユニットを示す；
ことを特徴とする記録装置。
【請求項３】
請求項２に記載の記録装置であって、前記読み取りユニットの前記所定数は１に等しい、ことを特徴とする記録装置。
【請求項４】
請求項１に記載の記録装置であって、前記制御手段は、次に示す条件であって：
エラーが見つけられ、補正された；
エラーが見つけられ、補正されなかった；
エラーが読み取りユニットのアドレスに存在する；
前記エラー補正手段は読み取られた前記記録データの非一貫性のために用いられることが可能でない；
条件の少なくとも１つが満たされる場合、欠陥データとして読み取られた前記記録データを評価するようにデザインされている、ことを特徴とする記録装置。
【請求項５】
請求項１に記載の記録装置であって、前記制御手段は前記媒体の領域を選択するように且つ選択された領域を検査するようにデザインされる、ことを特徴とする記録装置。
【請求項６】
請求項５に記載の記録装置であって、前記制御手段は、いずれの前記読み取りユニットが欠陥であるとして評価される場合、選択された領域に含まれる所定数の読み取りユニットの走査を実行するように且つ欠陥領域テーブルに前記選択された領域を示すようにデザインされている、ことを特徴とする記録装置。
【請求項７】
請求項６に記載の記録装置であって、前記データ記録ストラテジは：
記録ユニットにおける前記データの記録を有する書き込み段階；並びに
前記書き込み段階に続く確認段階であって、前記書き込み段階において前記記録ユニットに記録されたデータを読み取る手順と前記記録されたデータを前記データと比較する手順とを有する、段階；
を有し、
前記制御手段は、前記次に示す条件の少なくとも１つが満たされる場合のみに前記確認段階が実行されることを実現するために前記データ読み取りストラテジを適合させるようにデザインされており；
検査はいまだに終わらず；
前記記録ユニットは前記欠陥領域テーブルに示された前記領域に含まれる；
ことを特徴とする記録装置。
【請求項８】
請求項２乃至６のいずれ一項に記載の記録装置であって、前記制御手段は：
前記欠陥領域テーブルに示された前記領域に含まれる各々の記録ユニットにおける全ての読み取りユニットの走査を実行するように；並びに
前記記録ユニットに含まれるいずれの前記読み取りユニットが欠陥であるとして評価される場合、欠陥記録ユニットテーブルに記録ユニットを示すように；
デザインされている、ことを特徴とする記録装置。
【請求項９】
請求項８に記載の記録装置であって、前記データ記録ストラテジは：
記録ユニットにおける前記データの前記記録を有する書き込み段階；並びに
前記書き込み段階に続く確認段階であって、前記書き込み段階において前記記録ユニットに記録されたデータを読み取る手順と前記記録されたデータを前記データと比較する手順とを有する、段階；
を有し、
前記制御手段は、前記次に示す条件の少なくとも１つが満たされる場合のみに前記確認段階が実行されることを実現するために前記データ読み取りストラテジを適合させるようにデザインされており；
検査はいまだに終わらず；
前記記録ユニットは前記欠陥記録ユニットテーブルに示される；
ことを特徴とする記録装置。
【請求項１０】
請求項６に記載の記録装置であって、前記制御手段は、前記媒体における２つの実質的に同心状の実質的に円形の記録トラックの間の円形領域を選択するようにデザインされている、ことを特徴とする記録装置。
【請求項１１】
請求項１０に記載の記録装置であって、前記制御手段は、前記円形領域の中央におけるテスト記録トラックを検査することにより前記円形領域を顕座するようにデザインされている、ことを特徴とする記録装置。
【請求項１２】
請求項１１に記載の記録装置であって、前記制御手段は、実質的に２００μｍ離れているテスト記録トラックを検査するようにデザインされている、ことを特徴とする記録装置。
【請求項１３】
請求項１１に記載の記録装置であって、前記制御手段は、前記テスト記録トラックに沿って実質的に全ての読み取りユニットの走査を実行するようにデザインされている、ことを特徴とする記録装置。
【請求項１４】
請求項１に記載の記録装置であって、前記制御手段は、所定のテーブルから読み取りユニットのアドレスを探すことにより前記読み取り手段を位置付けるようにデザインされている、ことを特徴とする記録装置。
【請求項１５】
請求項１に記載の記録装置であって、前記制御手段は、ある数の前記記録トラックを飛び越えることにより前記読み取り手段を位置付けるようにデザインされており、前記ある数は所定のテーブルから読み取られる、ことを特徴とする記録装置。
【請求項１６】
請求項１に記載の記録装置であって、前記制御手段は、前記媒体の記録パラメータを決定し、前記記録パラメータを用いて前記記録トラックの数を計算し、並びに、前記記録トラックの前記数を飛び越えることにより前記読み取り手段を位置付けるように、デザインされている、ことを特徴とする記録装置。
【請求項１７】
請求項１に記載の記録装置であって、前記制御手段は、前記記録装置のアイドル時間の間に前記媒体を検査するように、デザインされている、ことを特徴とする記録装置。
【請求項１８】
データ記録ストラテジを適合させるために欠陥の存在に対して書き換え可能光記録媒体を検査する方法であって、前記媒体はアドレス可能読み取りユニットを有する記録ユニットにおいて配置された記録データを有する実質的に円形の記録トラックを備える、方法であり：
前記記録データの少なくとも一部を読み取ることにより前記媒体を走査する段階；
読み取られた前記記録データの特徴を確立する段階；
前記特徴に基づいて欠陥データとして読み取られた前記記録データを評価する段階；並びに
前記評価の結果に従って、前記データ記録ストラテジを適合する段階；
を有することを特徴とする方法。
【請求項１９】
請求項１８に記載の方法であって：
前記媒体の各々の記録ユニットにおいて前記読み取りユニットの所定数を走査し；並びに
前記記録ユニットに含まれるいずれの読み取りユニットが欠陥であるとして評価される場合、欠陥記録ユニットテーブルに記録ユニットを示す；
ことを特徴とする方法。
【請求項２０】
請求項１９に記載の方法であって、前記読み取りユニットの前記所定数は１に等しい、ことを特徴とする方法。
【請求項２１】
請求項１８に記載の方法であって：
読み取られた前記記録データにおいてエラーを見つけ且つ補正し；並びに
次に示す条件であって：
エラーが見つけられ、補正された；
エラーが見つけられ、補正されなかった；
エラーが読み取りユニットのアドレスに存在する；
前記エラー補正手段は読み取られた前記記録データの非一貫性のために用いられることが可能でない；
条件の少なくとも１つが満たされる場合、欠陥データとして読み取られた前記記録データを評価する；
ことを特徴とする方法。
【請求項２２】
請求項１８に記載の方法であって、前記媒体の前記選択された領域が検査ざれる、ことを特徴とする方法。
【請求項２３】
請求項２２に記載の方法であって：
選択された領域において前記読み取りユニットの所定数を走査し；
いずれの前記読み取りユニットが欠陥であるとして評価される場合、欠陥領域テーブルに前記選択された領域を示す；
ことを特徴とする方法。
【請求項２４】
請求項２３に記載の方法であって、前記データ記録ストラテジは：
記録ユニットにおける前記データの記録を有する書き込み段階；並びに
前記書き込み段階に続く確認段階であって、前記書き込み段階において前記記録ユニットに記録されたデータを読み取る手順と前記記録されたデータを前記データと比較する手順とを有する、段階；
を有し、
前記確認段階は、次に示す条件であって： 
検査はいまだに終わらず；
前記記録ユニットは前記欠陥領域テーブルに示された前記領域に含まれる；
条件の少なくとも１つが満たされる場合のみに実行される、ことを特徴とする方法。
【請求項２５】
請求項１９乃至２３のいずれ一項に記載の方法であって：
前記欠陥領域テーブルに示された前記領域に含まれる各々の記録ユニットにおける全ての読み取りユニットを走査し；並びに
前記記録ユニットに含まれるいずれの前記読み取りユニットが欠陥であるとして評価される場合、欠陥記録ユニットテーブルに記録ユニットを示す；
ことを特徴とする方法。
【請求項２６】
請求項２５に記載の方法であって、前記データ記録ストラテジは：
記録ユニットにおける前記データの前記記録を有する書き込み段階；並びに
前記書き込み段階に続く確認段階であって、前記書き込み段階において前記記録ユニットに記録されたデータを読み取る手順と前記記録されたデータを前記データと比較する手順とを有する、段階；
を有し、
前記確認段階は、次に示す条件であって： 
検査はいまだに終わらず；
前記記録ユニットは前記欠陥領域テーブルに示された前記領域に含まれる；
条件の少なくとも１つが満たされる場合のみに実行される、ことを特徴とする方法。
【請求項２７】
請求項２３に記載の方法であって、前記媒体における２つの実質的に同心状の実質的に円形の記録トラックの間の円形領域が選択される、ことを特徴とする方法。
【請求項２８】
請求項２７に記載の方法であって、前記円形領域は、前記円形領域の中央におけるテスト記録トラックを検査することにより検査される、ことを特徴とする方法。
【請求項２９】
請求項２８に記載の方法であって、実質的に２００μｍ離れているテスト記録トラックが検査される、ことを特徴とする方法。
【請求項３０】
請求項２８に記載の方法であって、前記テスト記録トラックに沿った実質的に全ての読み取りユニットが走査される、ことを特徴とする方法。
【請求項３１】
請求項１８に記載の方法であって、前記記録データのための読み取り手段は所定のテーブルから読み取りユニットのアドレスを探すことにより位置付けされる、ことを特徴とする方法。
【請求項３２】
請求項１８に記載の方法であって、前記記録データのための読み取り手段はある数の前記記録トラックを飛び越えることにより位置付けされ、前記ある数は所定のテーブルから読み取られる、ことを特徴とする方法。
【請求項３３】
請求項１８に記載の方法であって：
前記媒体の記録パラメータを決定する段階；
前記記録パラメータを用いて前記記録トラックの数を計算する段階；並びに
前記数の前記記録トラックを飛び越えることにより前記記録データを読み取るために読み取り手段を位置付ける段階；
を有する、ことを特徴とする方法。
【請求項３４】
請求項１８に記載の方法であって、前記検査は、前記媒体を検査するために用いられる記録装置のアイドル時間の間に行われる、ことを特徴とする方法。
【発明の詳細な説明】
【技術分野】
【０００１】
本発明は、アドレス可能読み取りユニットを有する記録ユニットにおいて配置された記録データを有する実質的に円形の記録トラックを備えた書き換え可能光記録媒体にデータを記録するための記録装置に関し、その記録装置は：
−  データを受信するための入力手段；
−  データを記録するための記録手段；
−  記録データを読み取るための読み取り手段；
−  読み取られた記録データにおけるエラーを見つけ且つ補正するためのエラー補正手段；並びに
−  データの記録および読み取りを制御するための制御手段；
を有する。
【０００２】
本発明は、データ記録ストラテジを適合させるように、欠陥の存在について書き換え可能光記録媒体を検査する方法にさらに関し、その媒体は、アドレス可能読み取りユニットを有する記録ユニットに配置された記録データを有する実質的に円形の記録トラックを備える。
【背景技術】
【０００３】
上記のような装置の実施形態は、国際公開第０１／２２４１６号パンフレットに発表されている。それは、ＣＤ−ＲＷディスクのような書き換え可能媒体の初期化、フォーマットおよび欠陥管理を実行することができる記録装置を開示している。この発明は、大容量のフロッピー（登録商標）ディスクとしてのＣＤ−ＲＷの使用を容易にするためになされ、それ故、ファイルの即座の書き込みまたは読み取りが可能である。
【０００４】
国際公開第０１／２２４１６号パンフレットに記載されているような欠陥管理は、悪い記録ユニット、即ち、フォーマットまたは読み取り／書き込み操作の間に見つけられるパケットと呼ばれる記録ユニットについての情報を提供する。しかしながら、ディスク外周における記憶の間に、スクラッチまたは指紋のような欠陥の数は増加する可能性がある。さらに、これらの新しい欠陥に関する情報はディスクにおいては見当たらない。結果として、記録操作の間に、全ての書き込み段階それぞれの次に確認段階を伴う必要があり、それ故、ドライブの実行は著しく速度が遅くなる。
【発明の開示】
【課題を解決するための手段】
【０００５】
本発明の第１の目的は、効率的な記録操作を実行することができる、冒頭で説明した種類の記録装置を提供することである。
【０００６】
本発明に従った第１の目的は、
−  少なくとも記録データの一部を読み取ることにより媒体を走査し；
−  読み取られた記録データの特性を明らかにし；
−  その特性に基づいて、欠陥データをして読み取られた記録データを評価し；並びに
−  その評価の結果に従ってデータ記録ストラテジを適合させる；
ことにより、
−  制御手段は、欠陥の存在について媒体を検査するためおよびデータ記録ストラテジを適合するためにデザインされる；
ことが実行されることである。
【０００７】
本発明に従った装置は、媒体において存在する実際に記録されたデータがその媒体を検査するために用いられ、データ記録ストラテジをこの検査の結果に従って適合させる。
【０００８】
記録装置のための一実施形態においては、制御手段は、記録ユニットに含まれるいずれの読み取りユニットが欠陥であるとして評価される場合、媒体の各々の記録ユニットにおいて所定の数の読み取りユニットの走査を実行するために、および、欠陥記録ユニットテーブルに記録ユニットを表示するためにデザインされる。この実施形態は、ダイレクトオーバーライト（ＤＯＷ：Ｄｉｒｅｃｔ−Ｏｖｅｒ−Ｗｒｉｔｅ）欠陥と呼ばれる特定の欠陥の種類に属する欠陥の検出を容易にするという点で優位性がある。これらの欠陥は、媒体の制限された有効なオーバーライトの数によりもたらされる。読み取りユニットはまた、フレームと呼ばれる。
【０００９】
記録装置の他の実施形態においては、制御手段は、次の条件の少なくとも１つが満たされる場合、欠陥データとして読み取られた記録データを評価するためにデザインされる。
−  エラーが見つけられて、補正された。
−  エラーが見つけられたが、補正されなかった。
−  エラーは、読み取りユニットのアドレスに存在する。
−  エラー補正手段は、読み取られた記録データの非一貫性のために用いられることが可能でない。
この実施形態は、媒体の効率的な検査のために用いることができる記録データを評価するための簡単且つ明快な基準を提供するという点で優位性がある。
【００１０】
記録装置の他の実施形態においては、制御手段は、さらにゾーンと呼ばれる媒体の領域を選択するために、そして選択された領域を検査するためにデザインされる。このことは、検査の速度を速くすることおよびデータ記録ストラテジが局所的に適合されることができることの点で優位性がある。
【００１１】
選択領域に含まれる読み取りユニットの所定数を走査するためおよび欠陥領域テーブルに選択領域を表示するために制御手段がデザインされる場合であって、いずれの読み取りユニットが欠陥であると評価される場合、その実施形態は優位性がある。このように、検査の速度はさらに速くなり、データ記録ストラテジに関して速い決定を下すために用いることができる“粗い”欠陥のテーブルが作成される。
【００１２】
記録装置のための他の実施形態は、データ記録ストラテジが：
−  記録ユニットにおけるデータの記録を有する書き込み段階；並びに
−  その書き込み段階の次の確認段階であって、書き込み段階において記録ユニットに記録されたデータの読み取る手順と、記録されたデータをそのデータと比較する手順とを有する、段階；
を有し、制御手段は、次の条件であって、
−  検査はまだ完了していない；
−  記録ユニットは欠陥記録ユニットテーブルに表示される；
の少なくとも１つの条件を満たす場合のみに確認段階が実行されることが達成されるためにデータ記録ストラテジが適合されるようにデザインされている。
【００１３】
この実施形態は、欠陥を伴わないユニットにおける書き込みが非常に速くなり、それ故、記録装置の全体的な性能が改善されるという点で優位性がある。
【００１４】
記録ユニットに含まれるいずれの読み取りユニットが欠陥であるとして評価される場合、欠陥領域テーブルに表示された領域を含む各々の記録ユニットにおける読み取りユニット全ての走査を実行するように、そして、欠陥記録ユニットテーブルに記録ユニットを表示するように、制御手段がデザインされることは有利である。このことは、“速い”検査の簡易見つけられた欠陥領域のより正確な検査を可能にする。
【００１５】
記録装置の他の実施形態においては、制御手段は、２つの媒体における実質的に同心であって、実質的に円形の記録トラックの間の円形領域を選択するようにデザインされている。
【００１６】
本発明に従った次の記録装置の実施形態においては、制御手段は、実質的に２００μｍ離れたテスト記録トラックを検査するようにデザインされている。この実施形態は、標準エラー補正手段により補正されることができない、予想される欠陥のサイズ点から優位性がある。
【００１７】
優位性のある一実施形態においては、制御手段は、媒体の記録パラメータを決定するように、記録パラメータを用いて記録トラックの数を計算するように、そして、記録トラックの数を飛ばすことにより記録手段を位置付けるようにデザインされている。この実施形態は、検査フェーズの間に、早いが正確な、読み取り手段を位置付ける方法を提供することにより、記録走査の性能を向上させる。
【００１８】
本発明に従った記録装置の次の実施形態は、記録装置のアイドル時間の間に媒体を検査するようにデザインされている。このことは、記録装置が、読み取り／書き込みコマンドを受け付ける準備が殆ど常にできているという点で優位性がある。
【００１９】
本発明の第２の目的は、効率的な記録操作を実行するために適用されることができる、冒頭のパラグラフにおいて説明した種類の方法を提供することである。
【００２０】
本発明に従った、その第２の目的は、次に示す段階を有する方法により実現される。即ち、それら段階は、
−  少なくとも記録データの一部を読み取ることにより媒体を走査する段階；
−  読み取られた記録データの特性を明らかにする段階；
−  その特性に基づいて、欠陥データとして読み取られた記録データを評価する段階；並びに
−  その評価の結果に従ってデータ記録ストラテジに適合させる段階；
である。
【００２１】
本発明の装置および方法のこれらのおよび他の特徴については、以下に、添付図面を参照しながらさらに詳細に説明する。
【発明を実施するための最良の形態】
【００２２】
図１は、本発明に従った書き換え可能光記録媒体１１にデータを記録するための記録そう地の実施形態を示している。図１における装置は、光記録媒体のトラックにデータを記録するための記録手段（２１、２２、２５、２８）であって、その手段は、光記録媒体１１を回転するためのドライブユニット２１、ヘッド２２、トラックにおける径方向にヘッダ２２を粗く位置付けるための位置付けユニット２５および書き込み処理手段２８を有する。ヘッド２２は、光記録媒体の情報レイヤのトラックにおける放射スポット２３に焦点合わせされる光素子によりガイドされる放射ビーム２４を生成するために既知の種類の光システムを有する。放射ビーム２４は、例えば、レーザダイオードのような放射源により生成される。ヘッドは、前記ビームの光軸に沿う放射ビーム２４の焦点を動かすための焦点アクチュエータ（図示せず）と、トラックの中心について径方向における放射スポット２３を微調整して位置付けるためのトラッキングアクチュエータとをさらに有する。トラッキングアクチュエータは、光素子を径方向に動かすためのコイルを有することが可能であり、または、それに代えて、反射素子の角度を変化させるために配置されることが可能である。
【００２３】
情報を書き込むために、放射は、記録レイヤにおいて光学的に検出可能なマークを生成するために制御される。書き込み処理手段２８は、ヘッド２２を駆動する書き込み信号を生成するために、入力手段２７により受けられる情報を処理する。書き込み処理手段２８は、フォーマッタおよび変調器を有することが可能である。コンピュータアプリケーションのために、ホストコンピュータを書き込み処理手段２８に直接接続することが可能であることに留意する必要がある。それ故、データ接続は、装置の内部（例えば、コンシューマ向けビデオレコーダ）または装置の外部（例えば、ＰＣ周辺機器）のどちらかに備えることが可能である。
【００２４】
読み取りのために、前記トラッキングアクチュエータおよびフォーカシングアクチュエータを制御するためにトラッキングエラーおよびフォーカシングエラー信号を有する検出器信号として読み取り信号が生成されるように、情報レイヤにより反射される放射は、ヘッド２２において、例えば、四象限ダイオードのような通常の種類の検出器により検出される。読み取り信号は、復調器、デフォーマッタおよび情報を検索するための出力ユニットを有する通常種類の読み取り処理ユニット３０により処理される。それ故、情報を読み取るための読み取り手段（２１、２２、２５、３０）は、ドライブユニット２１、ヘッド２２、位置付けユニット２５および読み解きｓｈリユニット３０を有する。制御ユニット２０は、情報の記録および読み取りを制御し、ユーザからまたはホストコンピュータからのコマンドを受けるために配置されることが可能である。制御ユニット２０は、前記入力手段２７、書き込み処理手段２８、見取り処理ユニット３０、ドライブユニットおよび位置付けユニット２５に、例えば、システムバスのような制御ライン２６により接続される。制御ユニット２０は、下に記すように、本発明に従った方法および機能を実行するために、例えば、マイクロプロセッサ、プログラムメモリおよび制御ゲートのような制御回路を有する。制御ユニット２０はまた、論理回路におけるステートマシンとして実行されることが可能である。入力手段２７は、制御データを加え、ファイル管理システムに従ってそのデータをフォーマット化するために、書き込み処理手段２８に渡される入力データを処理する。さらに、フォーマット化されたデータは、例えば、ヘッド２２を駆動する変調信号を生成するチャネルコーダにより変調される。さらに、書き込み処理手段は、変調信号に同期パターンを含めるために同期手段を有することが可能である。フォーマット化データユニットはアドレス情報を有し、制御ユニット２０の制御の下で、光記録媒体における対応するアドレス可能位置に書き込まれる。制御ユニット２０は、記録された情報ボリュームの位置を示す位置データを記録し且つ検索するために配置される。記録操作の間に、その情報を表すマークが光記録媒体において形成される。それらマークは、例えば、色素、合金または位相変化材料のような材料に記録されるときに得られる、周囲とは異なる反射係数をもつ領域のような、いずれの光学的に読み取り可能な形式で、または、光磁気材料に記録されるときに得られる、周囲と異なる磁化方向をもつ領域のような形式とすることが可能である。光ディスクに記録するための情報の書き込みおよび読み取り、使用可能なフォーマット化、エラー補正並びにチャネル符合化の規則は、例えば、ＣＤシステムにおける規則のように、当該技術分野において周知である。マークは、通常は、レーザダイオードからの電磁放射ビーム２４により記録レイヤに生成されるスポット２３を用いて形成することができる。
【００２５】
光記録媒体１１の検査は制御ユニット２０により実行される。検査により、光記録媒体における欠陥を見つける必要がある。制御ユニット２０は、光記録媒体に記録されたデータを読み取ること、および読み取られたフレームにおいて見つけられるエラーに関する情報を収集することにより、欠陥についての走査を実行する。この情報は、データ記録ストラテジに適合させるために、書き込み操作の間に制御ユニット２０により用いられる。読み取り処理ユニット３０は、読み取られたデータにおけるエラーを見つけて補正するためのエラー補正手段を有する。これらの手段は、巡回冗長検査(Ｃｙｃｌｉｃ  Ｒｅｄｕｎｄａｎｃｙ  Ｃｈｅｃｋ)のようなエラー補正方法を用いる。制御ユニット２０は、フレームにおいて見つけられるエラーについての情報の収集に基づいて欠陥とされる読み取りフレームを評価する。信頼性の低いフレームは検査により除外される必要がある。例えば、リンクシーケンスの一部が検査され、それは認識され、スキップされる。このことは、リンクシーケンスの検査のために表れる可能性のある擬似欠陥をこの検査が加えないことを確実にする。
【００２６】
記録装置の一実施形態は、欠陥フレームを認識するために次のような基準を用いて制御ユニット２０を適合させることにより実現する。即ち、それら基準は、
−  実行され且つ成功したエラー補正方法
−  実行され且つ成功しなかったエラー補正方法
−  正確に書き込まれたがその値が不正確である、“有効でない”データを有するフレームのアドレス
−  データの矛盾のために用いられることが可能でないエラー補正方法
である。
【００２７】
特定のフレームは、上記条件のうちの少なくとも１つが満たされる場合に評価される。欠陥であるとして読み込まれたフレームを評価するための付加的な異なる基準を用いることができることに留意する必要がある。
【００２８】
記録装置の他の実施形態は、媒体の領域を選択するためおよび選択された領域の検査を実行するために制御ユニット２０を適合させることにより実現される。
【００２９】
制御ユニット２０は、選択された領域に含まれるフレームの所定数の走査を実行するためにさらに適合されることができる。選択された領域において読み込まれたいずれのフレームが欠陥であるとして評価される場合、全体的な領域は欠陥であるとみなされ、制御ユニット２０はそのような領域について情報を収集する。
【００３０】
検査の結果はデータ記録ストラテジのために重要である。それは、次のような段階、
−  記録ユニットにおいてデータの記録を有する書き込み段階；並びに
−  その書き込み段階に続く確認段階であって、書き込み段階において記録されたデータを読み取る手順と記録されたデータをそのデータと比較する手順を有する、段階；
を有する。
【００３１】
記録装置の他の実施形態においては、データが書き込まれる領域が走査され且つ欠陥を有しないときは、確認を行うことなく書き込みコマンドが実行されるように、制御ユニット２０は適合される。
【００３２】
好適には、制御ユニット２０は、２つの段階、即ち粗い走査段階および微調整走査段階に分割される検査を実行するために適合されることができる。粗い走査段階は、例えば、予備領域の先頭から開始し、ディスクの端部の方に所定距離に亘りディづくの半径に沿って進む。１つのテスト記録トラックが、各々の走査位置において検査される。これは、トラックに沿った全てのフレームを読み取ることにより行われる。このように、円形ゾーンは検査され、図２に示すように、そのゾーンの中央における特定のテスト記録トラックに隣接する２つのテスト記録トラック間の領域として規定される。粗い走査段階は、例えば、スクラッチ、ゴミ、指紋等の大きい欠陥を見つけるためにデザインされる。標準的エラー補正手段により補正することのできない、予想される欠陥のサイズを考慮すると、２つの連続的なテスト記録トラックの間の光学的分離は２００μｍである。
【００３３】
制御ユニット２０を修正することができ、それ故、粗い走査の実行の間に欠陥であることが見つけられたゾーンは、欠陥ゾーンに属すパケット内のフレーム全てを読み取ることにより確認することができる。特定のパケットにおいて読み取られたいずれのフレームが欠陥であるとして評価される場合、全体的なパケットは欠陥であるとみなされる。欠陥であることが見つけられたパケットについての情報は制御ユニット２０により収集される。
【００３４】
微調整走査は粗い走査とは異なる効果を有する。微調整走査の目的は、パケット当たり少なくとも１つのフレームを読み取ることにより各々のパケットをチェックすることである。その意図は、ＤＯＷの問題点を見つけることである。記録装置はパケット解像度のみを用いて書き込まれることができ、それ故、書き込み数はパケットにおける全てのフレームに対して同様である。ＤＯＷの問題点が存在する場合、その問題点はパケットの全てのフレームにおいて表れる筈である。このことは、微調整走査の基礎である。微調整走査は、例えば、予備領域の第１パケットにおいて開始され、媒体の端部の方に１つのパケットに亘って進む。いちいち、微調整走査は、現時点のパケットが欠陥を有するかどうかを決定するために、パケット当たり少なくとも１つのフレームを読み取る。欠陥を有する場合、現時点のパケットについての情報は制御ユニット２０により収集される。
【００３５】
記録装置の他の実施形態においては、データが書き込まれるパケットが欠陥を有するとして制御ユニット２０により示されず且つ検査が終わるとき、書き込みコマンドは確認を伴わずに実行されるように、制御ユニット２０は適合される。
【００３６】
制御ユニット２０は、分離プロセスとしてまたは１つの検査についての２つの段階として、粗い走査と微調整走査とを実行することができ、その検査は媒体における欠陥についての詳細にして速い情報を提供する優位性を有している。
【００３７】
ユーザは、記録装置に媒体を挿入した直後に、媒体が使用可能であることを期待する。従って、好適には、他の実施形態において、制御ユニット２０は、媒体の検査の間に
処理が行われていることをユーザに意識させないでコンパクトコマンドが処理される一方、できるだけ速く媒体がアクセルすることを可能にするために全てのアクセスコマンドは一時停止するように、制御ユニット２０は適合される。データは書き込まれ、次いで確認される。一時停止された検査は、アクセスコマンドが実行された後に再開される必要がある。
【００３８】
記録装置の他の実施形態は、検査が再びアクティブになる前のある時間に記録装置がアイドル状態に保たれるように制御ユニット２０を適合することにより実現されることができる。好適には、アイドル時間は４秒に設定され、それ故、媒体挿入後の検査の第１の開始かまたは一時停止後の再開のどちらかは、アイドル時間が終わったときにのみ起こる。このことは、コマンドの検査と実行との間に亘るスイッチングを防止するためになされる。
【００３９】
検査の機能性は読み取りの機能性より著しく速いことが必要であるが、そうでない場合、欠陥のチェックは、ドライブが非アクティブである間のバックグラウンドの読み取りとして実行される必要がある。これらは、
−  最大読み取り速度（例えば、ｘ３２）までドライブを速くし、できるだけ速く媒体のデータ全てを読み取ること、または
−  標準的な（および、低速の）ドライブシークを用いるのではなく、媒体におけるパケット全てにアクセスすることを可能にするために十分正確である、非常に速く、特別なアルゴリズムを用いること
により実行されることができる。
【００４０】
第１の可能性は、好適には、欠陥のチェックは記録装置のアイドル時間の間に実行される必要があるため、検査に用いることはできない。しかしながら、ユーザは、読み取りまたは書き込みコマンドにより欠陥のチェックを中断することが可能である。この場合、例えば、ホストコンピュータは、ディスクが適用された読み取り速度までスピンダウンするまで、待つ必要がある。読み取り速度は、書き込み速度と同じであるように選択され、それ故、ディスク依存性である。書き込み操作と読み取り操作とに対して同じ速度を採用する理由は、読み取りコマンドと書き込みコマンドとの間の著しく高速なスイッチングを防止するためである。コマンドを実行する前に、いちいち、ホストコンピュータは装置のために待つこととなる。
【００４１】
検査中のヘッド２２の位置付けは、制御ユニット２０により制御される。この目的のために、制御ユニット２０は、ヘッド２２により“アクセス”される光記録媒体１１におけるアドレスの位置を有するテーブルを用いることができる。これらのアドレスは、ディスクの静的モデルおよびトラックの幾何学的デザインを用いて計算されることができる。そのモデルは、ディスクにおける位置（現時点の半径に依存する）を絶対時間により境界をつける。この時間は、例えば、ＣＤ−ＲＯＭ標準に対して周知であるＭＳＦアドレスに変換されることができる。ヘッド２２の位置付けは、テーブルからＭＳＦアドレスを探すことによりなされる。
【００４２】
好適には、制御ユニット２０は、光記録媒体における位置を計算するために、より正確なモデルを用いるように適合されることができる。ディスクに対する大きい機械的許容範囲のために、全てのディスクは、トラックがはじまる半径、トラック間の距離、トラックピッチ幅等において僅かに異なる可能性がある。全ての可能な状況を考慮すると、同様の一貫した方法で全てのディスクを扱う方法はただ１つ存在し、それは、ディスク挿入後の較正手順の間に得られる実際のディスクパラメータを使用することである。それら実際のディスクパラメータの詳細はビットエンジンデータ構造に保持され、それ故、重要なことは計算のためにビットエンジン機能を用いることである。
【００４３】
好適には、検査を高速化するための１つの方法は、ヘッド２２の位置付けのためにＭＳＦアドレスを探すことに代えて溝を飛び越えるように、制御ユニット２０を適合させることである。ところで、実際の方法は、光記録媒体の既知の位置から開始し（例えば、予備領域から開始し）、必要な距離に亘り、全ての予備領域およびデータ領域を通して進められる必要がある。この距離（例えば、粗い走査に対しては１つのゾーン、微調整走査に対しては１つのパケット）が、光記録媒体のパラメータおよび計算ルーチンを用いて、溝の数により表される。
【００４４】
飛び越える溝の数は、次のように推定される。
−  ヘッド２２は既知の位置（アドレス）に位置付けられる必要がある。
−  次の走査位置のアドレスはテーブルから得られる。
−  溝の数は、アドレスと実際の光記録媒体パラメータとの両方を用いて制御ユニット２０により計算される。
−  ヘッドはその溝の数を飛び越え、制御ユニット２０は現時点のアドレスが必要なアドレスに対応するかどうかをチェックする。
−  制御ユニット２０は現時点のアドレスが必要なアドレスに対応する場合、欠陥についてのチェックが実行され、そうでない場合は、他の試みがなされる。
【００４５】
実際の走査位置において読み取りがなされる（飛び越えの後）場合、位置の次の計算のためにアドバンシングアルゴリズム（ａｄｖａｎｃｉｎｇ  ａｌｇｏｒｉｔｈｍ）に提供されることができる実際のアドレスを得る。同じアルゴリズムを、粗い走査および微調整走査に対して用いることができる。基地の位置（アドレス）における第１の（初期）設定は、シークＭＳＦアドレスを用いることによりなされる。
【００４６】
このアルゴリズムは、書き込み速度ｘ８における粗い走査に対してはうまく機能するが、微調整走査に対しては、書き込み速度ｘ４がよりよく機能することが見出された。このことは、現時点で探し出された位置を飛び越えられないことを確実にするためにビットエンジン機能が用いるオフセットによりもたらされる。アドバンシングアルゴリズム（溝を飛び越えて次のパケットを見つける）はよく機能するが、より早い速度においては、次の走査位置を見つけるために、再試行の数が必要である。このことは、速度ｘ４における走査よりさらに時間を要する。
【００４７】
記録装置の他の実施形態は、フォーマットが終了した、例えば、ＣＤ−ＲＯＭ互換状態にあるような、媒体のみの検査を実行するために制御ユニット２０を適合させることにより実現される。全容量に対してフォーマットされなかった媒体の場合、フォーマットが再開される可能性がある。媒体がドライブに挿入されて、ホストコンピュータがフォーマットコマンドを出した場合、検査は実行されない。媒体が十分フォーマットされたとき、フォーマットの確認の間に全ての欠陥が見つけられる必要があるため、検査を行う必要はない。他方、フォーマットされた媒体が記録装置に挿入され、記録装置が読み取りおよび／または書き込みでビジー状態であるとき、記録装置がアイドルになるまで検査は開始されない。
【００４８】
図２は、書き換え可能光記録媒体１１の一部の平面図である。そのような媒体の例としては、ＣＤ−ＲＯＭまたはＤＶＤ＋ＲＷ、或いはブルーレイディスク（Ｂｌｕ−ｒａｙ  Ｄｉｓｋ：ＢＤ）と呼ばれる青色レーザを用いる高密度書き換え可能ディスクがある。光記録媒体１１は、複数の実質的に円形の記録トラック１２を有する。本発明の例示のために、図２における記録媒体１１は、スクラッチの形態で２つのディスク欠陥１３および１４が存在するように示されている。
【００４９】
第１スクラッチ１３のサイズは比較的小さい。従って、第１スクラッチ１３により損傷された影響の及ぶ記録トラック１２のトラック長は比較的小さく、第１スクラッチ１３により影響の及ぶトラックの数は比較的少ない。
【００５０】
ＣＤ−ＲＷ、ＤＶＤ＋ＲＷおよび特にＢＤシステムは強力なエラー補正機構を用い、それ故、それらは、比較的小さいトラック長において生成されたエラーに対して実質的に影響されない。影響を受けたトラック長が比較的大きくなったときにのみ、エラー補正機構は、結果的にもたらされる記録エラーを補正することができない。例示としては、このような場合には比較的大きいスクラッチ欠陥をもち、また、比較的大きいスクラッチ欠陥１４により影響される記録トラック１２の数は、比較的小さいスクラッチ血管１３により影響される記録トラックの数より多いことが、図２から理解される。本発明に従って、記録トラックのテストは、フォーマットを有する前の記録の期間に記録されたデータを読み取ることにより実行される。特定の実施形態においては、光記録媒体１１の制限された数の記録トラックのみを検査することが提案され、検査されるべきトラックは“テスト記録トラック”と呼ばれる。図２は、比較的太い線として参照番号１５で示される幾つかのこれらのテストトラックを示している。スクラッチ１４は粗い走査により検出されることができ、欠陥ゾーン１６は、それが属す全てのフレームを走査することにより詳細に検査されることができる。連続するテスト記録トラック１５は、所定の距離Ｄだけ間隔を置いて離れている。下においては、Ｄは２００μｍを例として仮定している。しかしながら、Ｄはいずれの他の適切な選択値を有することが可能であることは、当業者に理解されるであろう。
【００５１】
図３は、本発明に従った、記録データを有する書き換え可能光記録媒体を検査する方法の実施形態を示している。その方法は４つの主要段階を有する。段階１０１においては、媒体は記録されたデータの少なくとも一部において読み取られることにより走査される。次いで、読み取られた記録データは、段階１０２において特徴付けられる。これは、読み取られた記録データの異なる特性であって、好適には、データの構造、並びに適用されるエラー検出および補正手順の結果を分析することによりなされることができる。次の段階１０３においては、読み取られた記録データは、段階１０２において決定された特徴に基づいて評価される。この評価は、データが欠陥を有するか否かを判定するために用いられ、データの間違った構造またはエラー検出および補正手順により報告される欠点のような欠陥を評価するために異なる基準を適用することができる。評価結果は、段階１０４においてなされるデータ記録ストラテジの適合において用いられる。
【００５２】
図４は、記録媒体の検査する方法の他の実施形態を示している。この実施形態において、媒体における全てのパケットが検査される。これは、ＤＯＷ欠陥を探すためになされる。段階２０１においては、パケットにおける所定数のフレームが走査される。それらフレームは段階２０２において特徴付けられ、段階２０３において評価される。段階２０４において、いずれのフレームが欠陥データを有するとして評価されるか否かについてのチェックがなされる。いずれのフレームが欠陥データを有するとして評価される場合、それらのフレームを有するパケットは、次の段階２０５において欠陥パケットテーブルに示される。段階２０６においては、検査されるべきパケットがさらに存在するか否かについてチェックされる。そのようなパケットがさらに存在する場合、次のパケットが、段階２０１において分析されるように取り上げられる。データ記録ストラテジは段階２０７において適合される。この段階はまた、２０８により示されるように、全てのパケットの検査が終了する前に実行されることができることに留意する必要がある。
【００５３】
記録媒体を検査する方法の一実施形態においては、パケットにおけるただ１つのフレームが段階２０１において走査される。
【００５４】
記録媒体を検査する方法の他の実施形態は、次に示す条件の少なくとも１つを満たす場合、読み取られた記録データにおけるエラーを見つけ且つ補正し、欠陥データ（段階１０３、２０３、３０３または４０３において）としてデータを評価するための手段を用いることにより実現される。即ち、それらの条件は、
−  エラーが見つけられ、補正された
−  エラーが見つけられ、補正されなかった
−  エラーがフレームのアドレスに存在する
−  エラーを見つけ且つ補正するための手段はデータの矛盾のために用いられることが可能でない
である。
【００５５】
本発明に従った記録媒体を検査する方法の他の実施形態は、媒体の領域を選択し、選択された領域の検査を実行することにより実現される。
【００５６】
図５は、記録媒体を検査する方法の一実施形態であって、段階３０１において、媒体の選択された領域における所定数のフレームが走査される、実施形態を示している。それらフレームは段階３０２において特徴付けられ、段階３０３において評価される。段階３０４において、いずれのフレームが欠陥データを有するとして評価されるか否かのチェックが実行される。いずれのフレームが欠陥データを有する場合、それらのフレームを有する選択領域は、段階３０５において欠陥領域テーブルに示される。段階３０６においては、検査されるべき領域がさらに存在するか否かがチェックされる。そのような領域がさらに存在する場合、次の領域が段階３０１にのいて分析されるように取り上げられる。データ記録ストラテジは段階３０７において適合される。この段階はまた、３０８により示されるように、全てのパケットの検査が終了する前に実行されることができることに留意する必要がある。
【００５７】
データ記録ストラテジは次の段階を有する。
−  記録ユニットにおいて記録データを有する書き込み段階
−  書き込み段階の次の確認段階であって、書き込み段階において記録された読み取りデータを有し、記録されたデータをデータと比較する段階
好適には、記録媒体を検査する方法の他の実施形態において、データ記録ストラテジが適用され、それ故、書き込みコマンドは、データが書き込まれる領域が走査され且つ欠陥を有しないとき、書き込みコマンドが確認されることなく実行される。
【００５８】
図６は、記録媒体を検査する方法の一実施形態を示している。この実施形態において、欠陥領域テーブルに示された領域における全てのフレームが検査される。段階４０１において、欠陥領域テーブルに示された領域におけるフレームが走査される。フレームは段階４０２において特徴付けられ、段階４０３において評価される。段階４０４において、フレームが欠陥データを有するとして評価されるか否かのチェックがなされる。フレームが欠陥データを有するとして評価される場合、次の段階４０５において、そのフレームを有するパケットが欠陥パケットテーブルに示される。さらにフレームが存在する場合、次のフレームが、段階４０１において分析されるように取り上げられる。データ記録ストラテジが段階４０７において適合される。この段階はまた、参照番号４０８により示されるように、全てのフレームの検査が終了する前に実行されることができることに留意する必要がある。
【００５９】
記録媒体を検査する方法の他の実施形態において、データ記録ストラテジが適合され、それ故、データが書き込まれるパケットが血管パケットテーブルに示されないとき、書き込みコマンドは確認をすることなく実行され、検査は終了する。
【００６０】
記録媒体を検査する方法の次の実施形態は、検査のために選択される領域は２つの同心円の間の円形領域、即ち、媒体における円形トラックであることを特徴とする。
【００６１】
好適には、本発明に従った記録媒体を検査する方法の一実施形態において、検査のために選択された円形領域は、その円形領域の中央におけるテスト記録トラックを走査することにより検査される。
【００６２】
他の実施形態において、選択された円形領域の中央におけるテスト記録トラックに含まれる全てのフレームは、段階３０１において走査される。
【００６３】
標準的エラー補正方法により補正されることができない予想される欠陥のサイズを考慮して、記録媒体を検査する方法の次の実施形態における２つの連続的テスト記録トラック間の分離は２００μｍである。
【００６４】
記録媒体を検査する方法の他の実施形態は、段階１０１、２０１、３０１または４０１における記録データの走査は、所定のアドレスのテーブルからフレームのアドレスを探すことにより読み取り手段を位置付ける副段階を有することを特徴とする。
【００６５】
好適には、記録媒体を検査する方法の他の実施形態は、段階１０１、２０１、３０１または４０１における記録されるデータの走査は、記録トラック数を飛び越えることにより読み取り手段を位置付ける副段階を有し、記録トラックの数は所定の位置についてのテーブルに含まれる、ことを特徴とする。
【００６６】
好適には、記録媒体を検査する方法の次の実施形態において、段階１０１、２０１、３０１または４０１における記録データの走査は次の副段階を有する。
−  媒体の記録パラメータを決定する段階
−  記録パラメータを用いて、記録トラックの数を計算する段階
−  記録トラックの計算された数を飛び越えることにより読み取り手段を位置付ける段階
好適には、検査する方法の他の実施形態において、記録媒体は適合され、それ故、例えば、ホストコンピュータから検査を実行するために用いられる記録装置へのコンパクトコマンドは、媒体の検査の間に、処理が行われていることをユーザに意識させないで処理され、全てのアクセスコマンドは、できるだけ速く媒体のアクセスを可能にするために、検査を一時中断する。一時中断された検査は、アクセスコマンドの実行後、再開される必要がある。
【００６７】
記録媒体を検査する方法の他の実施形態は、検査が再びアクティブになる前に、記録装置がある時間アイドル状態に保たれる要求により実現されることができる。好適には、アイドル時間は４秒であり、それ故、媒体の挿入後の検査の第１の開始かまたは一時中断からの再開のどちらかのみが、アイドル時間が終了したときに起こる。
【００６８】
本発明について、好適な実施形態を参照して説明したが、それらは限定的な例示ではないとして理解される必要がある。それ故、請求の範囲により規定されるように、本発明の範囲および主旨から逸脱することなく、種々の変形が可能であることが当業者に理解されるであろう。さらに、上記の各々のおよび全ての新規な特徴または特徴の組み合わせの中に本発明は存在する。本発明は、コンピュータプログラムを実行する一般目的のプロセッサにより、または専用ハードウェアにより、またはそれら２つの組み合わせにより実行されることが可能であり、本明細書における用語“有する”は、挙げた要素または段階以外の要素または段階を排除するものではなく、単数表現の要素はそのような要素の複数の存在を排除するものではなく、いずれの参照番号は請求項の範囲を制限するものではなく、“手段”は１つのアイテムまたは複数のアイテムを表すことが可能であり、幾つかの“手段”は同じハードウェアのアイテムにより表すことが可能である。
【図面の簡単な説明】
【００６９】
【図１】記録装置の実施形態を示す図である。
【図２】書き換え可能光記録媒体の一部の平面図である。
【図３】データ記録ストラテジに適合するために欠陥の存在を媒体において検査する方法の実施形態を示す図である。
【図４】媒体における全てのパケットが走査される方法の実施形態を示す図である。
【図５】媒体の選択された領域における所定数のフレームが走査される方法の実施形態を示す図である。
【図６】欠陥領域テーブルに示された領域における全てのフレームが走査される方法の実施形態を示す図である。
【図１】
2005510004.tif 000002
【図２】
2005510004.tif 000003
【図３】
2005510004.tif 000004
【図４】
2005510004.tif 000005
【図５】
2005510004.tif 000006
【図６】
2005510004.tif 000007